(57)【要約】【課題】  メカニカルスイッチやバッテリーバックアップされたメモリを使用せずに、電子機器のリモコンＩＤの設定を行う。【解決手段】  複数の電子機器はＬＡＮで接続されている。それら複数の電子機器のリモコンＩＤが未設定の状態で、ユーザがリモコン操作を行うと、リモコンに最も近い電子機器に対して、リモコンの選択スイッチの設定と同じＩＤが割り当てられる。他の電子機器に対しても、ＬＡＮを介して他の電子機器とＩＤが干渉しないように調整しながら、自動的にリモコンＩＤが割り当てられる。【選択図】図２
2006094198.tif 000002
【特許請求の範囲】
【請求項１】
リモートコントローラにより設定可能な複数のＩＤの中から選択された入力ＩＤを生成するステップと、
ＬＡＮに接続された複数の機器の中から１つの機器を第１機器として選択し前記入力ＩＤを前記第１機器に割り当てるステップと、
前記複数の機器の中の前記第１機器以外の機器に、前記複数のＩＤの中の前記入力ＩＤ以外のＩＤを順次、割り当てるステップ
とを具備する
リモコンＩＤ設定プログラム。
【請求項２】
リモートコントローラにより設定可能な複数のＩＤの中から選択された入力ＩＤを生成するステップと、
第１機器に前記入力ＩＤを第１機器仮ＩＤとして割り当てるステップと、
前記第１機器にＬＡＮを介して接続された第２機器が、前記複数のＩＤの中から選択された第２機器ＩＤを割り当てられているか否かを判定する判定ステップと、
前記判定ステップにおいて前記第２機器ＩＤが割り当てられていたとき、前記第１機器仮ＩＤと前記第２機器ＩＤとの照合を行うステップと、
前記判定ステップにおいて前記第２機器ＩＤが割り当てられていないか、又は前記照合の結果が不一致であったときに、前記第１機器仮ＩＤを、前記第１機器に割り当てられたＩＤとして確定するステップと、
前記照合の結果が一致したとき、前記第１機器に、前記複数のＩＤのうちの前記第１機器仮ＩＤ以外のＩＤを割り当てるステップ
とを具備する
リモコンＩＤ設定プログラム。
【請求項３】
請求項２に記載されたリモコンＩＤ設定プログラムであって、
前記第１機器と前記第２機器とは交換可能である
リモコンＩＤ設定プログラム。
【請求項４】
請求項３に記載されたリモコンＩＤ設定プログラムを記憶する記憶装置と、
前記リモートコントローラと、
前記第１機器と、
前記第２機器と、
前記リモートコントローラから信号を受信し、かつ前記第１機器に前記複数のＩＤのうちのいずれかが割り当てられていないとき、前記記憶装置から前記リモコンＩＤ設定プログラムを読み出して実行し、前記第１機器にＩＤを割り当てるコンピュータ
とを具備する
リモコンＩＤ設定システム。
【請求項５】
請求項３に記載されたリモコンＩＤ設定プログラムを記憶する記憶装置と、
前記リモートコントローラと、
前記第１機器と、
前記第２機器と、
前記リモートコントローラから信号を受信し、かつ前記第１機器と前記第２機器とに前記複数のＩＤのうちのいずれかが割り当てられていないとき、記憶装置から前記リモコンＩＤ設定プログラムを読み出して実行し、前記第１機器と前記第２機器とのうち前記リモートコントローラの信号を早く受信した方から順にＩＤを割り当てるコンピュータ
とを具備する
リモコンＩＤ設定システム。
【請求項６】
請求項４または５に記載されたリモコンＩＤ設定システムであって、
前記第１機器と前記第２機器とは、ＩＤが割り当てられたときにＩＤが割り当てられたことの宣言を示す情報を前記コンピュータに送信する宣言部を備えている
リモコンＩＤ設定システム。
【請求項７】
請求項６に記載されたリモコンＩＤ設定システムであって、
前記第１機器と前記第２機器とに共にＩＤが割り当てられていないとき、前記第１機器と前記第２機器とのいずれか一方の前記宣言を前記コンピュータが受信したことをトリガーとして、他方が前記宣言を行う
リモコンＩＤ設定システム。
【請求項８】
請求項４から７のうちのいずれか１項に記載されたリモコンＩＤ設定システムであって、
前記リモートコントローラは、前記複数のＩＤのうちのいずれか１つを選択するための入力部を備え、
前記コンピュータは、前記第１機器と前記第２機器とのうち前記リモートコントローラの信号を早く受信した方に、前記入力部において選択されたＩＤを割り当てる
リモコンＩＤ設定システム。
【請求項９】
複数の電子機器を個別に操作するためのＩＤを選択する選択スイッチを備えたリモートコントローラと、
前記ＩＤが割り当てられていないときに、前記リモートコントローラから信号を受信したとき、前記選択スイッチにより選択されている前記ＩＤを自分自身のＩＤとして登録する電子機器
とを具備する
リモコンＩＤ設定システム。
【請求項１０】
請求項９に記載されたリモコンＩＤ設定システムであって、
前記複数の電子機器は互いにＬＡＮを介して接続され、
前記複数の電子機器のうちの前記ＩＤが割り当てられていない機器のうち、前記リモートコントローラから最も早く信号を受信した電子機器が、前記選択スイッチにより選択されている前記ＩＤを自分自身のＩＤとして登録する
リモコンＩＤ設定システム。
【発明の詳細な説明】
【技術分野】
【０００１】
本発明は、複数の機器を個別に操作することが可能なリモートコントローラに関する。
【背景技術】
【０００２】
ＶＴＲ、ＤＶＤレコーダ、ハードディスクレコーダに例示される電化機器の多くは、赤外線を発するリモートコントローラ（以下、リモコンと略す）を用いて遠隔操作される。
【０００３】
リモコンのなかには、複数の電化機器を個別に操作する機能を有するものがある。そうしたリモコンの場合、例えば切換えスイッチにより１番から４番のＩＤ番号を切換えることにより、いずれの電化機器を操作するかが選択される。
【０００４】
そうしたリモコンに対応した電化機器は、ＩＤ番号を設定する機能を備えている。電化機器のＩＤ番号は、メカニカルスイッチによる設定により決められることがある。あるいは電化機器のＩＤ番号は、ＩＤ番号を記憶した不揮発性メモリ又はバッテリーバックアップされたメモリ等に対して、ユーザーインターフェースを介して書き込まれることにより決められる。
【０００５】
図１を参照して、従来のリモコンとその受光システムの構成の一例について説明する。リモコン１０１は、赤外線による信号を発信する発信部と、複数の電化機器のうちのいずれを操作するかを選択するための選択スイッチを備えている。
【０００６】
リモコン受光システム１０２は、リモコン１０１から発信された信号を受信するリモコン受光部１０４を備えている。リモコン受光システム１０２は更に、ＲＡＭ１０８、ＲＯＭ１１０、フラッシュＲＯＭ１１２、それらを制御するマイクロコントローラ１０６、バックアップ用の電池１１４を備えている。リモコン受光システム１０２は更に、録画システム等１１８のオーディオ・ビジュアル関係のシステムを備えている。
【０００７】
リモコン受光システム１０２は更に、ＬＡＮコントローラ１２０を備えている。ＬＡＮコントローラ１２０により、リモコン受光システム１０２は他のリモコン受光システム（電化機器）とＬＡＮを介して情報の交換が可能である。近年では、こうしたネットワークによってコンピュータや家電を結び付け、相互の情報交換や制御を可能とするホームネットワークが増えてきている。
【０００８】
マイクロコントローラ１０６、録画システム等１１８、及びＬＡＮコントローラ１２０は、システムＣＰＵ１１６により制御されている。
【０００９】
ＩＤ番号を設定するために設けられたメカニカルスイッチ、不揮発性メモリ、バッテリーバックアップされたメモリ等を備えていない電化機器の場合、スイッチをオフしたり停電になったりした後で再び使用する際には、ユーザが電化機器を１台ごとに操作してＩＤ番号を設定し直す必要がある。
【００１０】
特許文献１には、ネットワーク接続された機器に対してタスク指向的な制御ができる機器制御方式および機器制御システムを提供することを目的とした機器制御方法および機器制御システムが開示されている。
【００１１】
特許文献２には、複数のＡＶ機器を接続し、各ＡＶ機器相互間で任意選択的にデジタルデータの転送を行い得るシステムにおいて、前記複数のＡＶ機器をケーブルを介してディジー・チェーン状に直列接続することによりネットワークを構成する接続手段と、この接続手段によって構成されたネットワークの両端が接続され該ネットワークの動作を制御する制御手段とを具備してなることを特徴とするＡＶネットワーク・システムが開示されている。
【００１２】
【特許文献１】特開２００１−１０３５８４号公報
【特許文献２】特開平４−２０７４３２号公報
【発明の開示】
【発明が解決しようとする課題】
【００１３】
本発明の目的は、簡易な構成により電化機器のリモコンのＩＤを設定することを可能にすることである。
【００１４】
本発明の他の目的は、ネットワーク接続された電化機器のリモコンのＩＤの設定を簡易に行うことである。
【００１５】
本発明の更に他の目的は、従来のような電源断のときに電化機器のＩＤを保持するためのバックアップを不要とするリモコンＩＤ設定システムを提供することである。
【００１６】
本発明の更に他の目的は、停電などの電源断の後に復旧が容易なリモコンＩＤ設定システムを提供することである。
【００１７】
本発明の更に他の目的は、ユーザが指向した装置から順に自動的にリモコンＩＤが設定されるリモコンＩＤ設定システムを提供することである。
【課題を解決するための手段】
【００１８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１９】
本発明によるリモコンＩＤ設定プログラム（２８）は、リモートコントローラ（１）により設定可能な複数のＩＤの中から選択された入力ＩＤを生成するステップ（Ｓ２）と、ＬＡＮに接続された複数の機器（２１、２２、２３）の中から１つの機器を第１機器（２１）として選択し入力ＩＤを第１機器（２１）に割り当てるステップ（Ｓ２８）と、複数の機器（２１、２２、２３）の中の第１機器（２１）以外の機器に、複数のＩＤの中の入力ＩＤ以外のＩＤを順次、割り当てるステップ（Ｓ２８）とを備えている。
【００２０】
本発明によるリモコンＩＤ設定プログラム（２８）は、リモートコントローラ（１）により設定可能な複数のＩＤの中から選択された入力ＩＤを生成するステップ（Ｓ２）と、第１機器（２１）に入力ＩＤを第１機器仮ＩＤとして割り当てるステップ（Ｓ１４）と、第１機器（２１）にＬＡＮ（２４）を介して接続された第２機器（２２）が、複数のＩＤの中から選択された第２機器ＩＤを割り当てられているか否かを判定する判定ステップ（Ｓ１６）と、判定ステップにおいて第２機器ＩＤが割り当てられていたとき、第１機器仮ＩＤと第２機器ＩＤとの照合を行うステップ（Ｓ１８）と、判定ステップにおいて第２機器ＩＤが割り当てられていないか、又は照合の結果が不一致であったときに、第１機器仮ＩＤを、第１機器（２１）に割り当てられたＩＤとして確定するステップ（Ｓ２８）と、照合の結果が一致したとき、第１機器（２１）に、複数のＩＤのうちの第１機器仮ＩＤ以外のＩＤを割り当てるステップ（Ｓ２８）とを備えている。
【００２１】
本発明によるリモコンＩＤ設定プログラム（２８）において、第１機器（２１）と第２機器（２２）とは交換可能である。
【００２２】
本発明によるリモコンＩＤ設定システムは、リモコンＩＤ設定プログラム（２８）を記憶する記憶装置（２７）と、リモートコントローラ（１）と、第１機器（２１）と、第２機器（２２）と、リモートコントローラ（１）から信号を受信し、かつ第１機器（２１）に複数のＩＤのうちのいずれかが割り当てられていないとき、記憶装置（２７）からリモコンＩＤ設定プログラム（２８）を読み出して実行し、第１機器（２１）にＩＤを割り当てるコンピュータ（１６）とを備えている。
【００２３】
本発明によるリモコンＩＤ設定システムは、リモコンＩＤ設定プログラム（２８）を記憶する記憶装置（２７）と、リモートコントローラ（１）と、第１機器（２１）と、第２機器（２２）と、リモートコントローラ（１）から信号を受信し、かつ第１機器（２１）と第２機器（２２）とに複数のＩＤのうちのいずれかが割り当てられていないとき、記憶装置（２７）からＩＤ設定プログラム（２８）を読み出して実行し、第１機器（２１）と第２機器（２２）とのうちリモートコントローラ（１）の信号を早く受信した方から順にＩＤを割り当てるコンピュータ（１６）とを備えている。
【００２４】
本発明によるリモコンＩＤ設定システムにおいて、第１機器（２１）と第２機器（２２）とは、ＩＤが割り当てられたときにＩＤが割り当てられたことの宣言を示す情報をコンピュータ（１６）に送信する宣言部を備えている。
【００２５】
本発明によるリモコンＩＤ設定システムにおいて、第１機器（２１）と第２機器（２２）とに共にＩＤが割り当てられていないとき、第１機器（２１）と第２機器（２２）とのいずれか一方の宣言をコンピュータ（１６）が受信したことをトリガーとして、他方が宣言を行う。
【００２６】
本発明によるリモコンＩＤ設定システムにおいて、リモートコントローラ（１）は、複数のＩＤのうちのいずれか１つを選択するための入力部を備えている。コンピュータ（１６）は、第１機器（２１）と第２機器（２２）とのうちリモートコントローラ（１）の信号を早く受信した方に、入力部において選択されたＩＤを割り当てる。
【００２７】
本発明によるリモコンＩＤ設定システムは、複数の電子機器（２１、２２、２３）を個別に操作するためのＩＤを選択する選択スイッチを備えたリモートコントローラ（１）と、ＩＤが割り当てられていないときに、リモートコントローラ（１）から信号を受信したとき、選択スイッチにより選択されているＩＤを自分自身のＩＤとして登録する電子機器（２１、２２、２３）とを備えている。
【００２８】
本発明によるリモコンＩＤ設定システムにおいて、複数の電子機器（２１、２２、２３）は互いにＬＡＮ（２４）を介して接続されている。複数の電子機器（２１、２２、２３）のうちのＩＤが割り当てられていない機器のうち、リモートコントローラ（１）から最も早く信号を受信した電子機器が、選択スイッチにより選択されているＩＤを自分自身のＩＤとして登録する。
【発明の効果】
【００２９】
本発明によれば、簡易な構成により電化機器のリモコンのＩＤを設定することが可能になる。
【００３０】
更に本発明によれば、ネットワーク接続された電化機器のリモコンのＩＤの設定が簡易に行われる。
【００３１】
更に本発明によれば、従来のような電源断のときに電化機器のＩＤを保持するためのバックアップを不要とするリモコンＩＤ設定システムが提供される。
【００３２】
更に本発明によれば、停電などの電源断の後に復旧が容易なリモコンＩＤ設定システムが提供される。
【００３３】
更に本発明によれば、ユーザが指向した装置から順に自動的にリモコンＩＤが設定されるリモコンＩＤ設定システムが提供される。
【発明を実施するための最良の形態】
【００３４】
以下、図面を参照しながら本発明によるリモコンＩＤ設定プログラム及びリモコンＩＤ設定システムについて詳細に説明する。
【００３５】
図２を参照すると、リモコンＩＤ設定システムの構成が示されている。リモコンＩＤ設定システム３０は、リモコン１と、ＬＡＮ２４により相互に接続された第１受信装置２１、第２受信装置２２、及び第３受信装置２３を備えている。ＬＡＮ２４は、有線に限らず無線でもよい。これらの受信装置は、各々がＬＡＮに接続可能なビデオやＤＶＤ等の録画又は再生装置、テレビ、チューナー、ハードディスクレコーダ、パーソナルコンピュータ等である。受信装置の数は３台に限られず、２台または４台以上でもよい。
【００３６】
リモコン１は、各々の受信装置を個別に選択し操作するための選択スイッチを備えている。選択スイッチは、例えば１番、２番、３番というＩＤにより３台の受信装置の区別を可能にする。選択スイッチにより選択されたＩＤを示す情報は、受信装置を操作するための赤外線による信号の一部として送信される。
【００３７】
各々の受信装置は、リモコン１の選択スイッチに対応するＩＤが設定されている場合と、ＩＤが未設定の場合とがある。例えば第１受信装置２１がＩＤ１番、第２受信装置２２がＩＤ２番に設定され、第３受信装置２３がＩＤ未設定で、３台とも近い場所に置かれていたとする。ユーザがリモコン１の選択スイッチを１番に入れ、リモコンによる操作を行うと、赤外線による信号が３台の受信装置により受信される。そして、ＩＤが選択スイッチのＩＤと一致する第１受信装置２１のみがリモコンの操作に応答し、他の受信装置は受信した信号を無視して反応しない。
【００３８】
図３を参照すると、リモコンとその受光システムの構成が示されている。この受光システムは、図２における第１受信装置、第２受信装置、及び第３受信装置などの受信装置の各々が備えているものである。リモコン１は、赤外線による信号を発信する発信部と、複数の電化機器のうちのいずれを操作するかを選択するための選択スイッチを備えている。
【００３９】
リモコン受光システム２は、リモコン１から発信された信号を受信するリモコン受光部４を備えている。リモコン受光システム２は更に、ＲＡＭ８、ＲＯＭ１０、それらを制御するマイクロコントローラ６を備えている。ＲＡＭ８は、リモコン１の選択スイッチに対応するＩＤを記憶しているか、またはＩＤが未設定であることを記憶している。マイクロコントローラ６は、ＲＡＭ８が記憶しているＩＤが未設定から設定された状態に変化したとき、ＬＡＮコントローラを用いて、ＩＤを取得したことの宣言を示す情報を、他のリモコン受光システムに送信する。この動作は以下、「ＩＤ宣言」と呼ばれる。リモコン受光システム２は更に、録画システム等１８のオーディオ・ビジュアル関係に例示されるシステムを備えている。
【００４０】
リモコン受光システム２は更に、ＬＡＮコントローラ２０を備えている。ＬＡＮコントローラ２０により、リモコン受光システム２は他のリモコン受光システム（電化機器）とＬＡＮを介して情報の交換が可能である。マイクロコントローラ６、録画システム等１８、及びＬＡＮコントローラ２０は、システムＣＰＵ１６により制御されている。システムＣＰＵ１６は更に、リモコンＩＤ設定プログラム２８を格納している。
【００４１】
図４と図５とを参照すると、リモコン１から赤外線による信号を受信したときにリモコン受信システム２が行う動作が示されている。これらの動作の一部は、システムＣＰＵ１６がリモコンＩＤ設定プログラム２８を読み出し、リモコンＩＤ設定プログラム２８に記述された手順に従って行う動作である。以下、こうした動作はリモコンＩＤ設定プログラム２８が行う動作として記述される。
【００４２】
以下の説明は、ＬＡＮ２４により接続された複数の受信装置のうちの一台に着目して行われる。
【００４３】
ステップＳ２：図４を参照して、ユーザが受信装置にリモコン１を向けて操作し、リモコン受光部４がリモコン１からの信号を受信する。その信号の中には、リモコン１が備える選択スイッチにより選択された受信装置のＩＤが含まれている。
【００４４】
ステップＳ４：マイクロコントローラ６は、ＲＡＭ８にＩＤが記憶されているか否かをチェックする。
【００４５】
ステップＳ６：ステップＳ４においてＲＡＭ８にＩＤが記憶されていると（ステップＳ４Ｙｅｓ）、マイクロコントローラ６はそのＩＤとリモコン１から受信したＩＤとの照合を行う。照合の結果が不一致ならばリモコン１から受信した信号は無視される。照合の結果が一致していた場合は、リモコン１による操作に応答した処理が行われる。
【００４６】
ステップＳ８：受信装置は、ＬＡＮ２４により接続された他の受信装置がＩＤ宣言を行ったか否かをモニターしている。ＩＤ宣言が行われていないときは（ステップＳ８Ｎｏ）、リモコン１に応答した通常の動作が行われる。ＩＤ宣言が行われたときは（ステップＳ８Ｙｅｓ）、ステップＳ１０の動作に移行する。
【００４７】
ステップＳ１０：受信装置は、他の受信装置がＩＤ宣言を行うと、ＲＡＭ８に記憶されている自分自身のＩＤと、他の受信装置が行ったＩＤ宣言に含まれるＩＤとを照合する。照合の結果が不一致であったときは（ステップＳ１０Ｎｏ）、リモコン１に応答した通常の動作が行われる。照合の結果が一致したときは（ステップＳ１０Ｙｅｓ）、ステップＳ１２の動作に移行する。
【００４８】
ステップＳ１２：ＲＡＭ８に記憶されているＩＤとＩＤ宣言のＩＤとが一致すると、ＩＤが重複しているということを示す信号が、ＩＤ宣言を行った他の受信装置に送信される。その後は通常の動作（ステップＳ６）に戻る。ＩＤ宣言を行った他の受信装置は、その信号を受信すると、ＩＤ宣言に含まれるＩＤとは異なるＩＤを取得するように動作する。
【００４９】
ステップＳ１４：図５を参照して、ステップＳ４においてＲＡＭ８にＩＤが記憶されていなかった場合、またはＩＤが未設定であることが記憶されていた場合、その受信装置のＩＤを自動的に割り当てるモード（自動ＩＤ割当モード）が立ち上げられる。自動ＩＤ割当モードが開始すると、まずリモコン１から受信した信号に含まれているＩＤ（リモコン１の選択スイッチに対応している）を、仮のＩＤとしてＲＡＭに記憶し設定する。
【００５０】
ステップＳ１６：他の受信装置が先行してＩＤ宣言を行っていた場合（ステップＳ１６Ｙｅｓ）、動作はステップＳ１８に移行する。他の受信装置が先行してＩＤ宣言を行っていなかった場合（ステップＳ１６Ｎｏ）、動作はステップＳ２２に移行する。
【００５１】
ステップＳ１８：他の受信装置が先行して宣言したＩＤとステップＳ１４において仮に設定されたＩＤとが照合される。照合の結果が一致したときは（ステップＳ１８Ｙｅｓ）、動作はステップＳ２０に移行する。照合の結果が不一致であったとき（ステップＳ１８Ｎｏ）、動作はステップＳ２２に移行する。
【００５２】
ステップＳ２０：仮に設定されたＩＤが変更され（例えばＩＤ番号に１が足され）、ステップＳ１６の動作に戻る。
【００５３】
ステップＳ２２：受信装置は、ステップＳ１４において仮に設定されたＩＤをＩＤ宣言する。
【００５４】
ステップＳ２４：ステップＳ２２においてＩＤ宣言されたＩＤと同一のＩＤが他の受信装置からＩＤ宣言されたとき、動作はステップＳ２６に移行する。そうでなければ、動作はステップＳ２８に移行する。
【００５５】
ステップＳ２６：システムＣＰＵ１６は、いずれか一方のＩＤ宣言に含まれるＩＤを変更する（例えばＩＤ番号に１を足す）ことを指示する信号を出力する。ＩＤ宣言に含まれるＩＤが変更された受信装置は、ステップＳ１６に戻って動作を続行する。
【００５６】
ステップＳ２８：ステップＳ１４において仮に設定されたＩＤが、その受信装置のＩＤとして確定される。
【００５７】
ステップＳ３０：確定されたＩＤが、受信装置のディスプレイに表示される等の手段により、ユーザに知らされる。
【００５８】
ステップＳ３２：自動ＩＤ割当モードが終了される。
【００５９】
ステップＳ３４：受信装置は、リモコンの操作に通常の応答をする動作に戻る。
【００６０】
こうした動作によれば、リモコン１から受光した時間が早い受信装置がＩＤ宣言を早く行い、その結果、ＩＤを優先的に取得する。リモコン１から受光した受信装置にＬＡＮを介して接続された他の受信装置のうちのＩＤが未設定のものは、より早くＩＤ宣言を行った受信装置のＩＤ宣言をトリガーとして次々に自動的にＩＤ宣言を行い、ＩＤが干渉するＩＤ宣言のＩＤは順次、修正されて、全ての機器に自動的にＩＤが割り当てられる。
【００６１】
例えば、ユーザがリモコンの選択スイッチを１番に設定して、ＩＤが未設定の第１受信装置２１の方にリモコン１を向けてリモコン１の操作を行うと、第１受信装置２１がＩＤとして１番を取得する。このように、ユーザがよく使う機器に対してユーザが希望するＩＤを割り当てることが容易にできる。
【００６２】
こうしたリモコンＩＤ設定システム及びリモコンＩＤ設定プログラムは、例えば停電によりリモコンの受信装置のＩＤが消去されてしまった場合に、一台づつＩＤを設定する手間を無くし、一度のリモコン操作で自動的に全ての機器にＩＤを設定しなおすことを可能にする。個々の機器の電源がオフされたことによりＩＤを消去された場合も同様に、一度のリモコン操作でＩＤが設定し直され、設定が容易である。新しい機器が初めてＬＡＮに接続された場合も同様のリモコン操作によりＩＤが容易に設定される。
【００６３】
更に、機器のリモコンＩＤが未設定のとき、ユーザがリモコンを複数の機器のうちのいずれかに向けて操作しようとしたとき、そのリモコンが備えているＩＤの選択スイッチに設定されているＩＤが自動的にそのリモコンを向けている機器のＩＤとして設定される。そのため、停電後や機器の新設時に、ユーザはリモコンＩＤに関する設定操作をすることなく、ただリモコンを所望の機器に向けて操作するだけで、その機器の操作を開始することができる。
【００６４】
こうしたリモコンＩＤ設定システム及びリモコンＩＤ設定プログラムによれば、受信装置の電源が切られてもＩＤを保持するための不揮発性メモリや、バックアップ用バッテリー、メカニカルスイッチが不要となる。そのため構成が簡易でコストが削減される。
【図面の簡単な説明】
【００６５】
【図１】図１は、背景技術におけるリモコンと受信システムとの構成を示す。
【図２】図２は、本発明によるリモコンＩＤ設定システムの構成を示す。
【図３】図３は、本発明によるリモコンと受信システムとの構成を示す。
【図４】図４は、リモコンＩＤ設定システムの動作を示すフローチャートである。
【図５】図５は、リモコンＩＤ設定システムの動作を示すフローチャートである。
【符号の説明】
【００６６】
１…リモコン
２…リモコン受光装置
４…リモコン受光部
６…マイクロコントローラ
８…ＲＡＭ
１０…ＲＯＭ
１６…システムＣＰＵ
１８…録画システム等
２０…ＬＡＮコントローラ
２１…第１受信装置
２２…第２受信装置
２３…第３受信装置
２４…ＬＡＮ
３０…リモコンＩＤ設定システム
【図１】
2006094198.tif 000003
【図２】
2006094198.tif 000004
【図３】
2006094198.tif 000005
【図４】
2006094198.tif 000006
【図５】
2006094198.tif 000007